(57)【要約】【課題】予めシリアルコードが付与されたパッケージを用いて、ユーザー端末から製品の偽造判定を可能にする。【解決手段】製品の真贋判定システムであって、パッケージに製品を収容する際に前記パッケージのシリアルコードを読み取る読み取り装置と、前記パッケージのシリアルコードと前記パッケージに収容した製品の情報とをデータセットとして記憶するデータベースと、ユーザー端末に構築されたシリアルコードリーダーと、前記シリアルコードリーダーが読み取ったシリアルコードを前記データベースに照会し、前記読み取ったシリアルコードが前記データベースに存在しない、又は前記データベースに記憶された製品の情報に異常がある場合に、前記ユーザー端末に異常表示をさせる真贋判定装置と、ユーザー情報を前記データベース内のデータセットに加えて前記データベースに記憶させる履歴情報追記装置とを具備する。【選択図】図１
2020095648.tif 000002
【特許請求の範囲】
【請求項１】
製品の真贋判定システムであって、
パッケージに製品を収容する際に、前記パッケージに予め設けられているシリアルコードを読み取る読み取り装置と、
前記読み取り装置が取得した前記パッケージのシリアルコードと、前記パッケージに収容した製品の情報とをデータセットとして記憶するデータベースと、
ユーザー端末に構築され、前記パッケージの前記シリアルコードを読み取るシリアルコードリーダーと、
前記シリアルコードリーダーが読み取ったシリアルコードを前記データベースに照会し、前記読み取ったシリアルコードが前記データベースに存在しない、または、前記データベースに記憶された製品の情報に異常がある場合に、前記ユーザー端末に異常表示をさせる真贋判定装置と、
前記シリアルコードリーダーが読み取りを行った際のユーザー情報を、前記データベース内のデータセットに加えて前記データベースに記憶させる履歴情報追記装置とを具備する製品の真贋判定システム。
【請求項２】
製品の真贋判定システムであって、
パッケージに製品を収容する際に、前記パッケージに予め設けられているシリアルコードを読み取る読み取り装置と、
前記読み取り装置が取得した前記パッケージのシリアルコードと、前記パッケージに収容した製品の情報とをデータセットとして記憶するデータベースと、
前記パッケージを二次包装体に収容する際に、収容された前記パッケージのシリアルコードと、前記二次包装体を識別するためのシリアルコードとをデータセットとして前記データベースに記憶させる登録装置と、
前記二次包装体を識別するためのシリアルコードを前記二次包装体に付与するコード付与装置と、
中間業者端末に構築され、前記二次包装体に付与されたシリアルコードを読み取るシリアルコードリーダーと、
前記中間業者端末の読取装置が読み取った前記二次包装体のシリアルコードを前記データベースで検索し、存在しなければ前記中間業者端末に異常を表示させ、存在した場合には発見された前記データセットに前記中間業者の情報を加えて前記データベースに記憶させる検索装置と、
ユーザー端末に構築され、前記パッケージの前記シリアルコードを読み取るシリアルコードリーダーと、
前記シリアルコードリーダーが読み取ったシリアルコードを前記データベースに照会し、前記読み取ったシリアルコードが前記データベースに存在しない、または、前記データベースに記憶された製品の情報に異常がある場合に、前記ユーザー端末に異常表示をさせる真贋判定装置と、
前記シリアルコードリーダーが読み取りを行った際のユーザー情報を、前記データベース内のデータセットに加えて前記データベースに記憶させる履歴情報追記装置とを具備する製品の真贋判定システム。
【請求項３】
第１シートとを供給する第１シート供給装置と、
予めシリアルコードが設けられた第２シートとを供給する第２シート供給装置と、
前記第１シートと前記第２シートの間に製品を配置して前記第１シートと前記第２シートを接合するシール装置と、
前記第２シートに設けられたシリアルコードを読み取る前記読み取り装置と、
前記接合された前記第１シートと前記第２シートを切断して前記パッケージとする切断装置とを具備する請求項１または２記載の製品の真贋判定システム。
【請求項４】
前記製品は医薬品であり、前記製品の情報は、前記医薬品の効能、前記医薬品の使用期限、前記医薬品の製造年月日、前記医薬品の製造者、前記医薬品の製造場所、および、前記医薬品のロット番号のうち少なくとも１以上の情報を含むことを特徴とする請求項１〜３のいずれかに記載の製品の真贋判定システム。
【請求項５】
前記ユーザー情報は、前記読み取りを行った時間情報、前記読み取りを行ったユーザーのＩＤ情報、前記ユーザーの所在地情報のうち少なくとも１以上の情報を含むことを特徴とする請求項１〜４のいずれかに記載の製品の真贋判定システム。
【請求項６】
前記シリアルコードは二次元バーコード、一次元バーコード、文字列、またはＲＦＩＤタグにより前記パッケージに付与されていることを特徴とする請求項１〜５のいずれかに記載の製品の真贋判定システム。
【請求項７】
前記パッケージは、ブリスターパックまたはストリップパックであることを特徴とする請求項１〜６のいずれかに記載の製品の真贋判定システム。
【請求項８】
前記真贋判定装置および前記履歴情報追記装置は、インターネットに接続されたサーバー内に構築され、前記ユーザー端末はインターネットを介して前記サーバーに接続可能とされていることを特徴とする請求項１〜７のいずれかに記載の製品の真贋判定システム。
【請求項９】
前記データベースは、Ｐ２Ｐネットワークを有するブロックチェーンデータベースにより構成され、前記ブロックチェーンデータベース内の各ブロックには、タイムスタンプと前のブロックへのリンクが含まれていることを特徴とする請求項１〜８のいずれかに記載の製品の真贋判定システム。
【発明の詳細な説明】
【技術分野】
【０００１】
本発明は、医薬品などの製品の流通経路において、エンドユーザーがその製品が正規品であるか否かを判定するための製品の真贋判定システムに関する。
【背景技術】
【０００２】
医薬品などの製品が世界的に広がるにつれ、正規品よりも価格が安い偽造品の市場も広がる傾向がある。医薬品は一般に、製薬会社で錠剤などの形で製造され、ブリスターパックやストリップパック等のパッケージに封入されたのち、製品名を印刷した小売り用の二次包装体に入れられ、さらに卸用の三次包装体に封入して卸業者へ出荷される。
【０００３】
卸業者では、三次包装体のまま、あるいは、三次包装体を開封して小売り用の二次包装体を取り出したうえ、小売業者へ販売する。さらに小売業者では、通常は二次包装体のままエンドユーザーへ販売するが、新興国などでは、小売業者が二次包装体を開封し、パッケージを取り出して、個々のパッケージの状態、もしくは個々のパッケージを包装紙で包むなどの簡易な包装を施して、エンドユーザーへ販売することもある。
【０００４】
模造品は、これら一連の流通経路のうちどこかで、場合によっては卸業者や小売業者により混入され、正規品に代わってエンドユーザーへ販売されてしまう。模造品は価格が安い代わりに医薬品として信頼性が低く、健康を損なうおそれもあるうえ、医薬品産業にも損害を与えるために有効な取り締まり方法が求められている。パッケージの状態では、さらに偽造を取り締まりにくい。
【０００５】
医薬品ではないが、製品の偽造防止システムとしては、例えば、特許文献１に示すものが公知である。この製品偽造防止システムは、各製品にシリアル番号を記録したＲＦＩＤタグを付け、ユーザーはＲＦＩＤリーダーにより前記ＲＦＩＤタグから内部コードを読み取り、シリアル番号とサーバーに記録された製品情報を照合することによって、製品の信頼性および提供元の合法性が判断できるとしている。
【先行技術文献】
【特許文献】
【０００６】
【特許文献１】特開２０１３−２５８１６号公報
【発明の概要】
【発明が解決しようとする課題】
【０００７】
しかし、上記のようなシステムでは、偽のシリアル番号を記録したＲＦＩＤタグを偽造されると偽造品であるか否かの判別ができなくなってしまい、十分な偽造防止効果が発揮できなかった。
【課題を解決するための手段】
【０００８】
上記課題を解決するために、本発明に係る製品の真贋判定システムは、
パッケージに製品を収容する際に、前記パッケージに予め設けられているシリアルコードを読み取る読み取り装置と、
前記読み取り装置が取得した前記パッケージのシリアルコードと、前記パッケージに収容した製品の情報とをデータセットとして記憶するデータベースと、
ユーザー端末に構築され、前記パッケージの前記シリアルコードを読み取るシリアルコードリーダーと、
前記シリアルコードリーダーが読み取ったシリアルコードを前記データベースに照会し、前記読み取ったシリアルコードが前記データベースに存在しない、または、前記データベースに記憶された製品の情報に異常がある場合に、前記ユーザー端末に異常表示をさせる真贋判定装置と、
前記シリアルコードリーダーが読み取りを行った際のユーザー情報を、前記データベース内のデータセットに加えて前記データベースに記憶させる履歴情報追記装置とを具備する。
【０００９】
このシステムでは、まず、パッケージに製品を収容する際に、読み取り装置によって前記パッケージに予め設けられているシリアルコードを読み取り、パッケージに製品を収容する。前記データベースは、前記読み取り装置が取得した前記パッケージのシリアルコードと前記パッケージに収容した製品の情報とをデータセットとして記憶する。
【００１０】
ユーザー側では、ユーザー端末に構築されるシリアルコードリーダーにより、前記パッケージの前記シリアルコードを読み取る。前記真贋判定装置は、シリアルコードリーダーが読み取ったシリアルコードを前記データベースで照会し、前記読み取ったシリアルコードが前記データベースに存在しない、または、前記データベースに記憶された製品の情報に異常がある場合に、前記ユーザー端末に異常表示をさせる。
【００１１】
前記履歴情報追記装置は、前記シリアルコードリーダーが読み取ったシリアルコードと、読み取りを行った状況に対応するユーザー情報とを、前記データベース内のデータセットに加えて前記データベースに記憶させる。
【００１２】
前記システムによれば、シリアルコードが予め設けられているパッケージを使用することにより、効率よく製品をパッケージに収容しながら、読み取り装置によって個々のパッケージに予め設けられているシリアルコードを読み取り、前記パッケージのシリアルコードと前記収容した製品の情報とをデータセットとしてデータベースに次々と記憶させることができる。
【００１３】
前記ユーザー端末では、シリアルコードリーダーが読み取ったシリアルコードを前記データベースで照会し、前記読み取ったシリアルコードが前記データベースに存在しない、または、前記データベースに記憶された製品の情報に異常がある場合に、前記ユーザー端末に異常表示をさせるので、ＲＦＩＤタグ中のシリアルコードを確認する従来方法に比して偽造を行いにくく、真贋判断の確実性を高めることができる。
【００１４】
さらに、前記履歴情報追記装置が、前記シリアルコードリーダーが読み取ったシリアルコードと、読み取りを行った状況に対応するユーザー情報とを、前記データベース内のデータセットに加えて前記データベースに記憶させるから、パッケージの出荷からエンドユーザーに至る流通経路の流れを把握できるうえ、偽造品が発見された場合には、偽造されたシリアルコードとともに偽造品の情報が記憶されるため、どの過程で何者によりどのようにして偽造品が混入されたかなど、偽造品の流通状況やルートを把握することも可能である。
【００１５】
本発明の他の態様の製品の真贋判定システムは、
パッケージに製品を収容する際に、前記パッケージに予め設けられているシリアルコードを読み取る読み取り装置と、
前記読み取り装置が取得した前記パッケージのシリアルコードと、前記パッケージに収容した製品の情報とをデータセットとして記憶するデータベースと、
前記パッケージを二次包装体に収容する際に、収容された前記パッケージのシリアルコードと、前記二次包装体を識別するためのシリアルコードとをデータセットとして前記データベースに記憶させる登録装置と、
前記二次包装体を識別するためのシリアルコードを前記二次包装体に付与するコード付与装置と、
中間業者端末に構築され、前記二次包装体に付与されたシリアルコードを読み取るシリアルコードリーダーと、
前記中間業者端末の読取装置が読み取った前記二次包装体のシリアルコードを前記データベースで検索し、存在しなければ前記中間業者端末に異常を表示させ、存在した場合には発見された前記データセットに前記中間業者の情報を加えて前記データベースに記憶させる検索装置と、
ユーザー端末に構築され、前記パッケージの前記シリアルコードを読み取るシリアルコードリーダーと、
前記シリアルコードリーダーが読み取ったシリアルコードを前記データベースに照会し、前記読み取ったシリアルコードが前記データベースに存在しない、または、前記データベースに記憶された製品の情報に異常がある場合に、前記ユーザー端末に異常表示をさせる真贋判定装置と、
前記シリアルコードリーダーが読み取りを行った際のユーザー情報を、前記データベース内のデータセットに加えて前記データベースに記憶させる履歴情報追記装置とを具備していてもよい。
【００１６】
このような製品の真贋判定システムによれば、製造会社等において製品をパッケージに収容し、これらパッケージを二次包装体に収容し、中間業者が二次包装体を流通させ、エンドユーザーがパッケージを購入する過程において、以下のような効果が得られる。
【００１７】
まず、パッケージに製品を収容する際に、前記パッケージに予め設けられているシリアルコードを読み取り装置で読み取る。データベースは、前記読み取り装置が取得した前記パッケージのシリアルコードと、前記パッケージに収容した製品の情報とをデータセットとして記憶する。
【００１８】
前記パッケージを二次包装体に収容する際には、前記登録装置が、収容された前記パッケージのシリアルコードと、前記二次包装体を識別するためのシリアルコードとをデータセットとして前記データベースに記憶させる。前記コード付与装置は、前記二次包装体を識別するためのシリアルコードを、例えば印刷やシール貼付などにより、前記二次包装体に付与する。
【００１９】
中間業者の段階では、中間業者端末に構築されたシリアルコードリーダーが、前記二次包装体に付与されたシリアルコードを読み取る。前記検索装置は、前記中間業者端末の読取装置が読み取った前記二次包装体のシリアルコードを前記データベースで検索し、存在しなければ前記中間業者端末に異常を表示させ、存在した場合には発見された前記データセットに前記中間業者の情報を加えて前記データベースに記憶させる。
【００２０】
ユーザー段階では、ユーザー端末に構築されたシリアルコードリーダーが、前記パッケージの前記シリアルコードを読み取る。前記真贋判定装置は、前記シリアルコードリーダーが読み取ったシリアルコードを前記データベースに照会し、前記読み取ったシリアルコードが前記データベースに存在しない、または、前記データベースに記憶された製品の情報に異常がある場合に、前記ユーザー端末に異常表示をさせる。さらに、前記履歴情報追記装置は、前記シリアルコードリーダーが読み取りを行った際のユーザー情報を、前記データベース内のデータセットに加えて前記データベースに記憶させる。
【００２１】
このような製品の真贋判定システムによれば、中間業者の段階において、前記二次包装体に付与されたシリアルコードを読み取って前記データベースで検索し、前記シリアルコードが存在しなければ前記中間業者端末に異常を表示させるから、二次包装体にパッケージが収容された状態においても、二次包装体に含まれる製品の真贋を判定することができる。
【００２２】
また、前記二次包装体のシリアルコードが存在した場合には、発見された前記データセットに前記中間業者の情報を加えて前記データベースに記憶させるから、前記データベースには、正規の中間業者に製品が販売されたか否かがリアルタイムで記録される。
【００２３】
ユーザー段階では、前記パッケージの前記シリアルコードを前記データベースに照会し、前記読み取ったシリアルコードが前記データベースに存在しない、または、前記データベースに記憶された製品の情報に異常がある場合に、前記ユーザー端末に異常表示をさせるから、ＲＦＩＤタグ中のシリアルコードを確認する従来方法に比して偽造を行いにくく、真贋判断の確実性を高めることができる。
【００２４】
さらに、前記履歴情報追記装置が、シリアルコードリーダーが読み取った前記パッケージのシリアルコードとユーザー情報とを、前記データベース内のデータセットに加えて前記データベースに記憶させるから、前記二次包装体の出荷からエンドユーザーに至る流通経路の流れをリアルタイムで把握できるうえ、偽造品が発見された場合には、どの過程で何者によりどのようにして偽造品が混入されたかなど、偽造品の流通状況やルートに関する情報を入手できる。
【００２５】
本発明の製品の真贋判定システムは、第１シートとを供給する第１シート供給装置と、  予めシリアルコードが設けられた第２シートとを供給する第２シート供給装置と、前記第１シートと前記第２シートの間に製品を配置して前記第１シートと前記第２シートを接合するシール装置と、前記第２シートに設けられたシリアルコードを読み取る前記読み取り装置と、前記接合された前記第１シートと前記第２シートを切断して前記パッケージとする切断装置とを具備していてもよい。
【００２６】
前記製品は医薬品であり、前記製品の情報は、前記医薬品の名称および効能、前記医薬品の使用期限、前記医薬品の製造年月日、前記医薬品の製造者、前記医薬品の製造場所、および、前記医薬品のロット番号のうち少なくとも１以上の情報を含んでいてもよい。
【００２７】
前記ユーザー情報は、前記読み取りを行った時間情報、前記読み取りを行ったユーザーのＩＤ情報、前記ユーザーの所在地情報のうち少なくとも１以上の情報を含んでいてもよい。
前記シリアルコードは二次元バーコード、一次元バーコード、文字列、またはＲＦＩＤタグにより前記パッケージに付与されていてもよい。
【００２８】
前記パッケージは、ブリスターパックまたはストリップパックであってもよい。
前記真贋判定装置および前記履歴情報追記装置は、インターネットに接続されたサーバー内に構築され、前記ユーザー端末はインターネットを介して前記サーバーに接続可能とされていてもよい。
【００２９】
前記データベースは、Ｐ２Ｐネットワークを有するブロックチェーンデータベースにより構成され、前記ブロックチェーンデータベース内の各ブロックには、タイムスタンプと前のブロックへのリンクが含まれていてもよい。
【発明の効果】
【００３０】
本発明の製品の真贋判定システムによれば、シリアルコードが予め設けられているパッケージを使用することにより、製品を効率よくパッケージに収容しながら、読み取り装置によって個々のパッケージに予め設けられているシリアルコードを読み取り、前記パッケージのシリアルコードと前記収容した製品の情報とをデータセットとしてデータベースに次々と記憶させることができる。
【００３１】
また、ユーザー端末では、シリアルコードリーダーが読み取ったシリアルコードを前記データベースで照会し、前記読み取ったシリアルコードが前記データベースに存在しない、または、前記データベースに記憶された製品の情報に異常がある場合に、前記ユーザー端末に異常表示をさせるので、従来方法に比して偽造を行いにくく、真贋判断の確実性を高めることができる。
【図面の簡単な説明】
【００３２】
【図１】本発明の製品の真贋判定システムの一実施形態の一部を示す概略図である。
【図２】同実施形態の他の部分を示す概略図である。
【図３】端末の構成を示すブロック図である。
【図４】同実施形態が対象とする製品として医薬品を封入したブリスターパック（パッケージ）の表面（ａ）と裏面（ｂ）を示す平面図である。
【図５】同実施形態における第２シートと二次元バーコードを示す平面図である。
【図６】パッケージの他の例としてストリップパックを示す平面図である。
【図７】同実施形態における医薬品の製造工程と販売工程の推移を示す概略図である。
【図８】同実施形態における偽物判定結果（ａ）および本物判定結果（ｂ）を示す平面図である。
【図９】同実施形態における製造過程でのフローチャートである。
【図１０】同実施形態における販売過程でのフローチャートである。
【発明を実施するための形態】
【００３３】
図１および図２は、本発明に係る製品の真贋判定システムの一実施形態１を示す概略図であり、図１は製品を製造して梱包するまでの構成、図２は梱包された製品を販売していくための構成を示している。この実施形態では製品が医薬品であるが、本発明が対象とする製品は医薬品に限定されるものではなく、パッケージに収容されて流通される製品であれば、食料品、各種部品類、生活用品など、いかなる物も対象となり得る。また、この実施形態では、サブシステムＬ１〜Ｌ６がそれぞれ１つずつ示されているが、各サブシステムＬ１〜Ｌ６の数は任意である。サブシステムＬ１〜Ｌ６のいずれかが省略されていてもよいし、さらに多段階の梱包または中間流通の段階が設けられていてもよい。
【００３４】
［製造側の構成］
図１を用いて、製造側の構成から説明する。この実施形態の真贋判定システム１は、医薬品である錠剤Ｐ１が封入されたブリスターパック（パッケージ）Ｐ２を製造するパッケージ製造ラインＬ１と、パッケージＰ２が封入された二次包装体Ｐ３を製造する二次包装ラインＬ２と、二次包装体Ｐ３が梱包された三次包装体Ｐ４を製造する三次包装ラインＬ３と、インターネット５６に接続されたサーバー５８と、サーバー５８に接続されたデータベース６０を有する。
【００３５】
［パッケージ製造ラインＬ１］
パッケージ製造ラインＬ１は、多数のポケット４が予め複数列に形成されている帯状のプラスチック製の第１シート２を、間欠的に長手方向に送る送り機構１０と、各ポケット４内に錠剤Ｐ１を一つずつ入れる錠剤分配装置３Ａと、ポケット４内に錠剤Ｐ１が入った第１シート２の上に同幅の第２シート６を被せてヒートシール等の手段により第１シート２に接着して錠剤Ｐ１を密封するシール装置８と、第２シート６の上面に一定間隔毎に予め付与されている二次元バーコード１３の画像を撮影するカメラ１２と、シートを一定間隔毎に幅方向に沿って切断し矩形状のパッケージＰ２を得る切断装置９とを有する。カメラ１２はクライアント（コンピュータ）１４に接続され、クライアント１４には、画像出力を表示するモニタ１６と、パッケージＰ２用の製品情報を記憶する製品情報記憶装置２０とが接続されている。
【００３６】
図４は、パッケージＰ２の一例を示し、図４（ａ）は表面、図４（ｂ）は裏面を示す。パッケージＰ２は矩形状をなし、第１シート２は弾力を有する透明なプラスチックで形成され、一列または複数列（この例では二列）の凹んだポケット４が形成されている。ポケット４の中には錠剤Ｐ１が通常一つずつ入れられ、アルミニウム箔などからなる第２シート６が第１シート２に接着されてポケット４が封止されている。パッケージＰ２には幅方向に延びる弱化線３が一定長さ毎に形成されて切り離し可能となっている。途上国では、このパッケージＰ２の状態でエンドユーザーに販売されることがあり、医薬品の偽造問題を複雑にしている。
【００３７】
第２シート６の一部（この例では中央部）には、図５に示すように、長尺の原反の状態において、矩形状の二次元バーコード１３（例えばＱＲコード（登録商標））が一定間隔毎に直接印刷されるか、または二次元バーコード１３を印刷したシールが予め貼り付けられている。二次元バーコード１３が設けられる位置は、図５に示すように第２シート６の幅方向の中央部であってもよいし、幅方向におけるいずれか一方の端部、または両端部であってもよい。第２シート６の全面に多数の二次元バーコード１３を間隔をあけて印刷する構成も可能である。いずれにせよ、一枚ごとのパッケージＰ２となる各領域に必ず１以上の二次元バーコード１３が含まれることが必要である。平板なアルミシート６に二次元バーコード１３を印刷するほうが好ましいが、必要に応じては、ポケット４を有するプラスチックシート２側に二次元バーコード１３を印刷してもよい。
【００３８】
カメラ１２は、連続的に動画を撮影するテレビカメラであってもよいし、一定間隔毎に静止画像を撮影する静止画カメラであってもよい。カメラ１２がテレビカメラの場合、クライアント１４が動画データを受信しつつ、動画像の中央に二次元バーコード１３が配置されたときに二次元バーコードの情報を読み出し、この二次元バーコード１３と対応するポケット４に収容される錠剤Ｐ１の製品情報と組み合わせてデータセットとする。カメラ１２が静止画カメラの場合、カメラ１２の視野中央に二次元バーコード１３が移動してきたタイミングでクライアント１４がカメラ１２に撮像させ、二次元バーコードの情報を読み出し、この二次元バーコード１３と対応するポケット４に収容される錠剤Ｐ１の製品情報と組み合わせてデータセットとする。カメラ１２による二次元バーコード１３の撮影位置は、この実施形態では錠剤Ｐ１の封入位置よりも上流側であるが、封入位置の下流側において二次元バーコード１３を撮影する構成も可能である。切断装置９は、パッケージＰ２の中央に二次元バーコード１３が来る位置で第１シート２および第２シート６を切断するようになっている。
【００３９】
［シリアルコード］
本発明では、パッケージＰ２の一つずつに異なるシリアルコードを付与してもよいし、同一ロット、一定数、または同一条件などの同一グループのパッケージＰ２には同じシリアルコードを付与して、グループ毎にシリアルコードを異ならせることも可能である。二次包装体Ｐ３および／または三次包装体Ｐ４についても同様に、グループ毎にシリアルコードを異ならせてもよい。
【００４０】
本発明におけるシリアルコードは、数字・英数字が一定の規則・体系に基づき付与されている番号であり、必ずしも連続番号でなくてもよく、一定の規則・体系に基づき付与されていれば、不連続もしくはランダムな番号であってもよい。
本発明では、二次元バーコードを使用する代わりに、一次元バーコードを用いてもよいし、数字列や文字列そのものを用いてもよい。また、無線通信機能およびデータメモリを備えたＲＦＩＤタグにシリアルコードを記録し、そのＲＦＩＤタグを、パッケージＰ２、二次包装体Ｐ３、および三次包装体Ｐ４のいずれかまたは全てに物理的に固定する方法も実施可能である。
【００４１】
［製品情報］
製品情報記憶装置２０には予め、錠剤Ｐ１に関する製品情報が記憶されている。製品情報は、例えば、医薬品の名称、商標名、効能、成分、使用上の注意事項、使用期限、製造年月日、医薬品の製造者、医薬品の製造場所、および、医薬品のロット番号のうち少なくとも１以上の情報を含んでいてもよい。これらの全てであってもよく、さらに他の情報を含んでいても良い。
【００４２】
［二次包装ラインＬ２］
二次包装ラインＬ２は、図１に示すように、商品としての外箱となる箱２６を運ぶコンベヤ２２およびロール２４と、複数のパッケージＰ２を箱２６に詰め込んで箱２６の蓋を閉じて二次包装体Ｐ３を製造するパッケージ組立装置（図示略）と、二次包装体Ｐ３の表面（例えば上面）に二次元バーコード２９を印刷、または二次元バーコード２９を印刷したシールを張り付けるプリンタ２８とを有する。プリンタ２８はクライアント（コンピュータ）３０に接続され、クライアント３０には、画像出力を表示するモニタ３２と、二次包装体Ｐ３用のシリアルコードを生成するシリアルコード生成装置３６とが接続されている。
【００４３】
［三次包装ラインＬ３］
三次包装ラインＬ３は、梱包容器としての大箱４４を運ぶコンベヤ４０およびロール４２と、複数の二次包装体Ｐ３を大箱４４に詰め込んで大箱４４の蓋を閉じて三次包装体Ｐ４を製造する梱包装置（図示略）と、三次包装体Ｐ４の表面（例えば上面）に二次元バーコード４７を印刷、または二次元バーコード４７を印刷したシールを張り付けるプリンタ４６とを有する。プリンタ４６はクライアント（コンピュータ）４８に接続され、クライアント４８には、画像出力を表示するモニタ５０と、三次包装体Ｐ４用のシリアルコードを生成するシリアルコード生成装置５２とが接続されている。
【００４４】
［販売側の構成］
図２に示すように、インターネット５６には、卸業者システムＬ４、小売業者システムＬ５、およびエンドユーザーシステムＬ６が、常時または必要時に接続可能とされ、これらＬ４〜Ｌ６がサーバー５８と常時または必要時に通信を行う。図示の例では、卸業者システムＬ４、小売業者システムＬ５、およびエンドユーザーシステムＬ６は、いずれもカメラ機能を有するスマートホン６２，６６，７０において専用のアプリケーションを実行することにより構築される。卸業者と小売業者を総称して、本明細書では中間業者と称する。
【００４５】
スマートホン６２，６６，７０は全く同じ機種・機能であってもよく、アプリケーションも同一のものであっても構わない。卸業者システムＬ４、小売業者システムＬ５、およびエンドユーザーシステムＬ６の機能の差は、それぞれの端末に入力される利用者ＩＤによって切り替えるようにしてもよい。また、本発明はスマートホンの利用に限らず、ノート型コンピューターやデスクトップ型コンピューター、もしくは専用端末を利用してもよい。
【００４６】
図３は、スマートホン６２，６６，７０の内部構成を示す。各スマートホン６２，６６，７０はＣＰＵ（中央処理装置）７４を有し、ＣＰＵ７４内に演算装置７６および制御装置７８が構築されている。演算装置７６はバスを介して主記憶装置８０に接続され、主記憶装置８０にはバスを介してキーボードやマイクなどの入力装置８４、情報読取装置となるカメラ８６、外部記憶装置８２、ディスプレイやスピーカーなどの出力装置８８が接続されている。
【００４７】
クライアント１４、３０，４８、並びに、卸業者端末６２、小売業者端末６６、ユーザー端末７０が、サーバー５８と接続する場合には、各端末１４，３０，４８、６２，６６，７０から、例えば、ユーザーＩＤおよびパスワードをサーバー５８へ送り、予めサーバー５８に登録されているユーザーＩＤおよびパスワードと照合して、合致すればクライアントとして接続が許可されるなどの方法が採られる。ユーザーＩＤおよびパスワードは、接続の都度、各端末１４，３０，４８、６２，６６，７０から入力しても良いが、最初の接続時に入力されれば、スマートホンまたはコンピューターの外部記憶装置８２に記憶され、次回の接続時からは、外部記憶装置８２から自動的に読み出されて、サーバー５８へ送られて自動的に接続が許可されることが好ましい。
【００４８】
この実施形態では、各クライアント１４，３０，４８、６２，６６，７０と、それらからの要求に応じて、データベース６０に記憶された情報を処理するサーバー５８とを備えているが、その代わりに、分散型台帳技術を用いたブロックチェーンデータベースを利用したシステムとしてもよい。この場合、データベースは、Ｐ２Ｐネットワークを有するブロックチェーンデータベースにより構成され、前記ブロックチェーンデータベース内の各ブロックには、タイムスタンプと前のブロックへのリンクが含まれる。ブロックチェーンデータベースを用いた場合には、ブロック内のデータを遡及的に変更することはできないため、シリアルコード等のデータ改竄がより困難になる利点が得られる。
【００４９】
［卸業者システムＬ４］
卸業者システムＬ４は、図２に示すように、卸業者が製造会社から三次包装体Ｐ４を仕入れた際に、卸業者が三次包装体Ｐ４を検査および登録するために使用される。さらに、卸業者が三次包装体Ｐ４をそのまま小売業者へ出荷したり、あるいは、卸業者が三次包装体Ｐ４を開いて二次包装体Ｐ３を取り出し、これら二次包装体Ｐ３を小売業者へ出荷する際に用いることもできる。二次包装体Ｐ３を取り出して出荷時に登録する必要があれば、その際の機能は、後述する小売業者システムＬ５の機能と基本的に同じである。
【００５０】
卸業者システムＬ４は卸業者端末６２により構成され、卸業者端末６２は、スマートホンに専用のアプリケーションを実行させることにより構築される。卸業者端末６２は情報読取装置６２Ａを有する。情報読取装置６２Ａは、卸業者がカメラ装置８６を三次包装体Ｐ４上の二次元バーコード４７に向け、例えばディスプレイ上に画像４７Ａを表示した状態でシャッターを切ることにより、二次元バーコード４７の情報を読み取る。
【００５１】
［小売業者システムＬ５］
小売業者システムＬ５は、小売業者が二次包装体Ｐ３を仕入れた際に、小売業者が二次包装体Ｐ３を検査および登録するために使用される。小売業者が存在しない場合には、卸業者から直接、エンドユーザーへ二次包装体Ｐ３が販売されるため、エンドユーザーシステムＬ６が使用される。小売業者が二次包装体Ｐ３をそのまま小売業者へ出荷したり、あるいは、小売業者が二次包装体Ｐ３を開いてパッケージＰ２を取り出し、これらパッケージＰ２をエンドユーザーへ出荷する際に用いることもできる。パッケージＰ２を取り出して出荷時に登録する必要があれば、その際の機能は、後述するエンドユーザーシステムＬ６の機能と基本的に同じでよい。
【００５２】
小売業者システムＬ５は、小売業者端末６６により構成され、小売業者端末６６は、スマートホンに専用のアプリケーションを実行させることにより構築される。小売業者端末６６は情報読取装置６６Ａを有し、情報読取装置６６Ａは、卸業者がカメラ装置８６を二次包装体Ｐ３上の二次元バーコード２９に向け、例えばディスプレイ上に画像２９Ａを表示した状態でシャッターを切ることにより、二次元バーコード２９の情報を読み取る。
【００５３】
［エンドユーザーシステムＬ６］
エンドユーザーシステムＬ６は、エンドユーザーがパッケージＰ２または二次包装体Ｐ３を購入する直前、または、購入した直後に、エンドユーザーがパッケージＰ２または二次包装体Ｐ３の真贋を確認するために使用される。購入する直前に検査を行う場合には、偽物であることが判明したら、購入を止めることができる。購入した直後に検査を行う場合には、偽物であることが判明したら、品物を返品して購入金額の返却を受けるか、別の品物と交換することができる。
【００５４】
エンドユーザーシステムＬ６は、ユーザー端末７０により構成され、ユーザー端末７０は、スマートホンに専用のアプリケーションを実行させることにより構築される。ユーザー端末７０は情報読取装置７０Ａを有し、情報読取装置７０Ａは、エンドユーザーがカメラ装置８６をパッケージＰ２上の二次元バーコード１３に向け、例えばディスプレイ上に画像１３Ａを表示した状態でシャッターを切ることにより、二次元バーコード１３の情報を読み取る。
【００５５】
［サーバー５８］
サーバー５８には、専用のコンピュータープログラムを実行することにより、データベース６０の検索を行う検索装置５８Ａと、製品の真贋を判定する真贋判定装置５８Ｂと、データベース６０への情報登録を担う情報登録装置５８Ｃとが構築されている。
【００５６】
検索装置５８Ａは、卸業者端末６２、小売業者端末６６、およびユーザー端末７０内に構築される情報読取装置が読み取った三次包装体Ｐ４、二次包装体Ｐ３、またはパッケージＰ２のシリアルコードをデータベース６０内で検索し、発見されたデータセットに各端末６２，６６，７０が保持する卸業者情報、小売業者情報、もしくはユーザー情報を加えてデータベース６０に記憶させる。検索装置５８Ａは、必要であれば、三次包装体Ｐ４のシリアルコードから、その中に含まれる二次包装体Ｐ３のデータセットを検索し、さらに二次包装体Ｐ３に含まれるパッケージＰ２のデータセットまでも検索して取得することができる。
【００５７】
真贋判定装置５８Ｂは、卸業者端末６２、小売業者端末６６、またはユーザー端末７０から要求を受けた場合に、送られてきたシリアルコードに該当するデータセットが存在しない場合には、送信元の卸業者端末６２、小売業者端末６６、またはユーザー端末７０の出力装置８８において異常表示させる。
【００５８】
真贋判定装置５８Ｂはまた、ユーザー端末７０から送られてきたシリアルコードに対応する製品情報に異常があるときには、ユーザー端末７０の出力装置８８において異常表示させる。
【００５９】
製品情報に異常がある場合とは、例えば、以下のような場合である。
（１）医薬品の名称や商標や効能が誤っている。
（２）医薬品の使用期限が過ぎている。
（３）医薬品の製造年月日が古すぎるまたは新しすぎて異常である。
（４）医薬品の製造者、医薬品の製造場所があり得ない情報を示している。
（５）医薬品のロット番号が存在しない番号を示している。
（６）本来は含まれているはずの情報が欠落しているか、本来は存在しないはずの余計な情報を含んでいる。
（７）元々の存在個数を超えた個数の読取が行われたシリアルコードであった。
【００６０】
図７は、製品の製造工程Ｌ１〜Ｌ３および販売工程Ｌ４〜Ｌ６の各段階における対象物Ｐ２〜Ｐ４、各端末からデータベース６０へ入力される利用者ＩＤ：Ａ１〜Ａ６、データベース６０で記憶されている製品情報Ｂ１の推移を示した説明図である。製品情報Ｂ１は、パッケージ製造ラインＬ１で入力された情報がそのまま維持される。
【００６１】
図８は、卸業者端末６２、小売業者端末６６、およびユーザー端末７０における異常表示（ａ）および正常表示（ｂ）の例を示している。この例では、異常な場合に「FAKE」および「×」を表示し、正常な場合に「REAL」および「○」を表示しているが、このような例に限定されず、より詳細に異常な点を文字列で表示してもよいし、スピーカーを通じて「偽物の可能性があります」等の音声でアナウンスを行ってもよい。
【００６２】
上記の真贋判定システム１の作用を、図９および図１０に示すフローチャートを参照しつつ説明する。図９は製造側のフロー、図１０は販売側のフローを示す。
【００６３】
［製造側のフロー］
図９および図１に示すように、製造側のフローパッケージ製造ラインＬ１では、第１シート２を送り機構１０によって間欠的に長手方向に送りながら、錠剤分配装置３Ａによって各ポケット４内に錠剤Ｐ１を一つずつ入れる。一方、カメラ１２が、間欠的に送られてくる第２シート６の表面に設けられている二次元バーコード１３を一つずつ撮影し、二次元バーコード１３の情報を読み取ってクライアント１４に伝達する（工程Ｓ１）。
【００６４】
シール装置８が第１シート２の上に第２シート６を被せて第１シート２に接着し、錠剤Ｐ１をポケット４内に封止する。切断装置９が張り合わされたシート２，６を幅方向に一定距離ずつ切断してパッケージＰ２に分割する（工程Ｓ２）。
【００６５】
新たなパッケージＰ２が製造されるたびに、クライアント１４は製品情報記憶装置２０からそのパッケージＰ２に封入された製品の情報を呼び出し、カメラ１２が読み込んだそのパッケージＰ２に対応するシリアルコードの情報と合わせてデータセットとしてインターネット５６を介してサーバー５８に送る。サーバー５８は、受信したデータセットを順次データベース６０に記憶させる（工程Ｓ３）。
【００６６】
次に、二次包装ラインＬ２では、上流工程から搬送されてくるパッケージＰ２のシリアルコードを図示しないカメラで読み込み、個々のパッケージＰ２のシリアルコードをクライアント３０で一次記憶しながら、一定数のパッケージＰ２を箱２６に詰め、パッケージ組立装置（図示略）により蓋を閉じて二次包装体Ｐ３を製造する（工程Ｓ４）。二次包装体Ｐ３が製造される毎に、シリアルコード生成装置３６が新規なシリアルコードを生成する（工程Ｓ５）。
【００６７】
クライアント３０は、二次包装体Ｐ３のシリアルコードを二次元バーコードに変換してプリンタ２８へ送り、プリンタ２８は二次包装体Ｐ３の一部（例えば上面）に二次元バーコード２９を印刷する（工程Ｓ６）。クライアント３０は、二次包装体Ｐ３毎に、二次包装体Ｐ３のシリアルコードと、収容されている全てのパッケージＰ２のシリアルコードとをデータセットとし、このデータセットをインターネット５６を介してサーバー５８に送る。サーバー５８はデータベース６０にそのデータセットを記憶させる（工程Ｓ７）。
【００６８】
次に、三次包装ラインＬ３では、上流工程から搬送されてくる二次包装体Ｐ３のシリアルコードを図示しないカメラで読み込み、個々の二次包装体Ｐ３のシリアルコードをクライアント４８で一次記憶しながら、一定数の二次包装体Ｐ３を大箱４４に詰め、組立装置（図示略）により蓋を閉じて三次包装体Ｐ４を製造する（工程Ｓ８）。三次包装体Ｐ４が製造される毎に、シリアルコード生成装置５２が三次包装体Ｐ４の新規なシリアルコードを生成する（工程Ｓ９）。
【００６９】
クライアント４８は、三次包装体Ｐ４のシリアルコードを二次元バーコードに変換してプリンタ４６へ送り、プリンタ４６は三次包装体Ｐ４の一部（例えば上面）に二次元バーコード４７を印刷する（工程Ｓ１０）。クライアント４８は、三次包装体Ｐ４のシリアルコードとそれに含まれる全ての二次包装体Ｐ３のシリアルコードをデータセットとして、インターネット５６を介してサーバー５８に送る。サーバー５８は、データベース６０に三次包装体Ｐ４のデータセットを記憶させる（工程Ｓ１１）。こうして製造された三次包装体Ｐ４が製造会社から販売店へと出荷される（工程Ｓ１２）。
【００７０】
［卸業者システムＬ４のフロー］
図１０に示すように、卸業者システムＬ４では、卸業者が三次包装体Ｐ４を仕入れた際（工程Ｓ１３）に、卸業者がスマートホンのアプリケーションを起動し、卸業者端末６２を構築する。卸業者はカメラ装置８６により三次包装体Ｐ４上の二次元バーコード４７を撮影する（工程Ｓ１４）。情報読取装置６２Ａが二次元バーコード４７の情報を取得し、卸業者端末６２は三次包装体Ｐ４のシリアルコードをサーバー５８へ送る。サーバー５８内の検索装置５８Ａは、データベース６０内で三次包装体Ｐ４のシリアルコードを検索し、三次包装体Ｐ４のデータセットが発見されたら、そのデータセットに、卸業者情報を追記する（工程Ｓ１５）。卸業者情報としては、卸業者のＩＤ、アクセス時間、卸業者の名称や位置情報などのうち１または２以上の組み合わせが使用できる。
【００７１】
サーバー５８の真贋判定装置５８Ｂは、データベース６０内で三次包装体Ｐ４のシリアルコードが発見できない場合には、卸業者端末６２において異常判定結果を表示させる（工程Ｓ１７）。異常表示としては、図８（ａ）に示すようにディスプレイに異常である旨を表示してもよいし、スピーカーから警報を発してもよいし、両方を行ってもよい（この点は以下同様である）。これにより、卸業者は偽造に気づくことができる。
【００７２】
［卸業者システムＬ４でのオプションの真贋判定］
サーバー５８の真贋判定装置５８Ｂは、データベース６０内で三次包装体Ｐ４のシリアルコードが発見できた場合に、さらに三次包装体Ｐ４のシリアルコードに紐付けられている二次包装体Ｐ３のシリアルコードを次々にデータベース６０内で検索し、全てのシリアルコードが存在するか調べてもよい。全てのシリアルコードが存在していない場合には異常表示を行い、全てのシリアルコードが存在した場合には正常表示を行う。この場合、偽造防止の精度を高められる。
【００７３】
［小売業者システムＬ５のフロー］
小売業者システムＬ５では、小売業者が二次包装体Ｐ３を仕入れた際（工程Ｓ１８）に、小売業者がスマートホンのアプリケーションを起動し、小売業者端末６６を構築する。小売業者はカメラ装置８６により二次包装体Ｐ３上の二次元バーコード２９を撮影する（工程Ｓ１９）。情報読取装置６６Ａが二次元バーコード２９の情報を解析して、二次包装体Ｐ３のシリアルコードの情報を取得し、データベース６０内を検索する。
【００７４】
データベース６０内で三次包装体Ｐ４のデータセットが発見されたら、小売業者端末６６で正常表示を行うと共に、発見されたデータセットに、小売業者情報を追記する（工程Ｓ２０）。小売業者情報としては、小売業者のＩＤ、アクセス時間、小売業者の名称や位置情報などのうち１または２以上の組み合わせが使用できる。データベース６０内で二次包装体Ｐ３のシリアルコードが発見できない場合（工程Ｓ２１）には、小売業者端末６６において異常表示させる（工程Ｓ２２）。これにより、小売業者は偽造に気づくことができる。
【００７５】
［小売業者システムＬ５でのオプションの真贋判定１］
サーバー５８の真贋判定装置５８Ｂは、データベース６０内で二次包装体Ｐ３のシリアルコードが発見できた場合に、さらに二次包装体Ｐ３のシリアルコードに紐付けられているパッケージＰ２のシリアルコードを次々にデータベース６０内で検索し、全てのシリアルコードが存在するか調べてもよい。全てのシリアルコードが存在していない場合にはその旨を記載した異常表示を行い、全てのシリアルコードが存在した場合には正常表示を行う。この場合、偽造防止の精度を高められる。
【００７６】
［小売業者システムＬ５でのオプションの真贋判定２］
サーバー５８の真贋判定装置５８Ｂは、二次包装体Ｐ３に紐付けられている卸業者情報を、予めデータベース６０に登録されている単数または複数の卸業者の情報と比較し、登録されている卸業者によって販売されたものであるかを確認することもできる。登録されている卸業者によって販売されたものでない場合は、小売業者端末６６において異常表示させてもよい。この時の異常表示は、製造者が一致しない場合の異常表示とは表示の方法を異ならせてもよい。
【００７７】
［エンドユーザーシステムＬ６のフロー］
エンドユーザーシステムＬ６では、エンドユーザーがパッケージＰ２を購入しようとする際（工程Ｓ２３）に、エンドユーザーがスマートホンのアプリケーションを起動し、ユーザー端末７０を構築する。エンドユーザーはカメラ装置８６によりパッケージＰ２上の二次元バーコード１３を撮影する（工程Ｓ２４）。情報読取装置７０Ａが二次元バーコード１３の情報を取得してサーバー５８へ送る。サーバー５８内の検索装置５８Ａは、データベース６０内でパッケージＰ２のシリアルコードを検索し、パッケージＰ２のデータセットが発見されたら、そのデータセットに、エンドユーザー情報を追記する（工程Ｓ２５）。エンドユーザー情報としては、エンドユーザーのＩＤ、アクセス時間、エンドユーザーの名称や位置情報などのうち１または２以上の組み合わせが使用できる。
【００７８】
サーバー５８の真贋判定装置５８Ｂは、パッケージＰ２のシリアルコードが発見できない場合には（工程Ｓ２６）、エンドユーザー端末７０において異常表示させる（工程Ｓ２７）。これにより、エンドユーザーはパッケージＰ２の偽造に気づいて購入を止めるか、既に購入済みであれば返品を求めることができる。
【００７９】
［エンドユーザーシステムＬ６でのオプションの真贋判定２］
サーバー５８の真贋判定装置５８Ｂは、パッケージＰ２に紐付けられている卸業者／小売業者の情報を、予めデータベース６０に登録されている単数または複数の卸業者／小売業者の情報と比較し、登録されている卸業者／小売業者によって販売されたものであるかを確認することもできる。登録されている卸業者／小売業者によって販売されたものでない場合は、エンドユーザー端末７０において異常表示させてもよい。この時の異常表示は、製造者が一致しない場合の異常表示とは表示の方法を異ならせてもよい。卸業者が一致しない場合と、小売業者が一致しない場合とで、異常表示の方法を互いに異ならせてもよい。
【００８０】
［実施形態の効果］
以上説明したように、本実施形態の製品の真贋判定システムによれば、シリアルコードが予め付与されている第２シート６を使用することにより、製造会社側でパッケージＰ２に印刷やシール貼りを行うこと無く、錠剤Ｐ１を効率よくパッケージＰ２に収容しながら、カメラ１２によってシリアルコードを読み取り、パッケージＰ２のシリアルコードと製品情報とをデータセットとしてデータベース６０に次々と記憶させることができる。製造会社側での負担を減らすことが可能である。
【００８１】
また、卸売業者、小売業者、エンドユーザーの各段階での真贋判断が行えるので、医薬品の流通経路に模造品が進入することを効果的に差し止めることができ、偽造品の混入がしにくく、偽造品の流通を流通網の全域に亘って防止する効果が高いうえ、万一、偽造品の混入が生じた場合にも、データベース６０内の情報を時系列に調べることにより、いずれの段階で生じたかの判別が可能である。これは、製造会社にとって偽造の防止を図る上で価値がある。
【００８２】
さらに、二次包装体Ｐ３やパッケージＰ２のシリアルコードに紐付けられてデータベース６０に保存されている卸業者／小売業者の位置情報を、予めデータベース６０に登録されている単数または複数の卸業者／小売業者の位置情報とそれぞれ比較し、登録されている卸業者／小売業者によって販売されたものであるかを確認した場合には、卸業者／小売業者における偽造を検出することも可能である。
【００８３】
前記実施形態におけるオプションの機能として、データベース６０に蓄えた異常の記録をサーバー５８によって集計して、製造会社のコンピューターへ定期的または不定期に電子メール等で通知したり、あるいは真贋判定システムのプログラムまたはアプリケーション上で表示してもよい。表示の方法としては、いずれの医薬品について、どのような偽造品が見付かったかをリスト化して表示することが可能である。このような通知を行うことにより、製造会社、卸業者、小売業者、エンドユーザー３０がそれぞれの立場で、偽造されやすい特定の医薬品に対して深い注意を払うことが可能となる。
【００８４】
［他の変形例］
本発明の製品の真贋判定システムは、前記実施形態に限定されず、特許請求の範囲に記載された範囲においていかなる変更を行ってもよい。例えば、前記実施形態ではシリアルコードをバーコードで表示していたが、その代わりに文字列で表示し、その文字列をカメラで撮像して画像認識技術によりシリアルコードを読み取ってもよい。文字列からなる製品情報４８は、製品名、製造会社、効能、用法、使用期限などを含んでいてもよい。
【産業上の利用可能性】
【００８５】
本発明の製品の真贋判定システムによれば、シリアルコードが予め設けられているパッケージを使用することにより、製品を効率よくパッケージに収容しながら、読み取り装置によって個々のパッケージに予め設けられているシリアルコードを読み取り、前記パッケージのシリアルコードと前記収容した製品の情報とをデータセットとしてデータベースに次々と記憶させることができる。
【００８６】
また、ユーザー端末では、シリアルコードリーダーが読み取ったシリアルコードを前記データベースで照会し、前記読み取ったシリアルコードが前記データベースに存在しない、または、前記データベースに記憶された製品の情報に異常がある場合に、前記ユーザー端末に異常表示をさせるので、従来方法に比して偽造を行いにくく、真贋判断の確実性を高めることができる。したがって、本発明は産業上の利用が可能である。
【符号の説明】
【００８７】
１：製品の真贋判定システム、２：第１シート、３：錠剤分配装置、４：ポケット、６：第２シート、８：ロール、１０：ロール、１２：カメラ、１３：二次元バーコード、１４：クライアント、１６：モニタ、２０：製品情報記憶装置、２２：コンベヤ、２４：ロール、２６：箱、２８：プリンタ、２９：二次元バーコード、２９Ａ：画像、３０：クライアント、３２：モニタ、３６：シリアルコード生成装置、４０：コンベヤ、４２：ロール、４４：大箱、４６：プリンタ、４７：二次元バーコード、４７Ａ：画像、４８：クライアント、５０：モニタ、５２：シリアルコード生成装置、５６：インターネット、５８：サーバー、５８Ａ：検索装置、５８Ｂ：真贋判定装置、５８Ｃ：情報登録装置、６０：データベース、６２：卸業者端末、６２Ａ：情報読取装置（カメラ）、６６：小売業者端末、６６Ａ：情報読取装置（カメラ）、７０：ユーザー端末、７０Ａ：情報読取装置（カメラ）、７４：ＣＰＵ、７６：演算装置、７８：制御装置、８０：主記憶装置、８２：外部記憶装置、８４：入力装置、８８：出力装置。
【図１】
2020095648.tif 000003
【図２】
2020095648.tif 000004
【図３】
2020095648.tif 000005
【図４】
2020095648.tif 000006
【図５】
2020095648.tif 000007
【図６】
2020095648.tif 000008
【図７】
2020095648.tif 000009
【図８】
2020095648.tif 000010
【図９】
2020095648.tif 000011
【図１０】
2020095648.tif 000012